(57)【要約】  【課題】  消費電力を削減し、かつ誤表示させないことが可能なリモコン装置を提供することを目的とする。  【解決手段】  メモリ１４からのデータとシフトレジスタ１５からのデータとが比較器１７で比較され、第１の比較結果信号が出力される。メモリ１４に入力されるデータとシフトレジスタ１６からのデータとが比較器１８で比較され、第２の比較結果信号が出力される。表示データ制御部１９には、シフトレジスタ１５からのデータとシフトレジスタ１６からのデータとが入力され、第１の比較結果信号と第２の比較結果信号との組み合わせに対応した両データのうちのデータが表示駆動回路２０により表示データに変換され、表示駆動回路２０から表示データが出力される。この表示データは文字化けのないデータとなり、表示部２１には正しい再生情報が表示されることになる。【選択図】      図１
2005286544.tif 000002
【特許請求の範囲】
【請求項１】
制御対象の機器に対して操作信号を送信して前記機器を操作し、前記機器の操作状況に対応する操作状況信号を前記機器から受信して表示部に操作状況の情報を表示するリモコン装置において、前記機器からの操作状況信号に含まれる新規のデータを格納すると共に次の新規のデータを受信するまで前記新規のデータを格納し続けるメモリと、このメモリから出力されたデータを保持する第１の保持手段と、前記メモリに格納されたデータが変化したかどうかを確認するため前記メモリから出力されたデータと前記第１の保持手段から出力されたデータとを比較した第１の比較結果信号を出力する第１の比較手段と、前記機器からの操作状況信号に含まれる新規のデータを次の新規のデータを受信するまで保持し続ける第２の保持手段と、この第２の保持手段に保持されたデータが変化したかどうかを確認するため前記機器からの新規のデータと前記第２の保持手段から出力されたデータとを比較した第２の比較結果信号を出力する第２の比較手段と、前記第１の保持手段から出力されたデータおよび前記第２の保持手段から出力されたデータを入力して前記第１の比較結果信号と前記第２の比較結果信号との組み合わせに対応した前記両データのうちのデータを表示データとして出力する表示データ出力手段とを備えたことを特徴とするリモコン装置。
【請求項２】
制御対象の機器に対して操作信号を無線で送信して前記機器を操作し、前記機器の操作状況に対応する操作状況信号を前記機器から受信して表示部に操作状況の情報を表示するリモコン装置において、前記操作状況信号はメイン信号と識別信号とからなり、前記識別信号を検出することにより新規の操作状況信号が前記機器から送信されたことを判定して新規のメイン信号のデータを出力する新規信号判定手段と、この新規信号判定手段からの新規のメイン信号のデータを格納すると共に次の新規のメイン信号のデータを受信するまで前記メイン信号のデータを格納し続けるメモリと、このメモリから出力されたデータを保持する第１の保持手段と、前記メモリに格納されたデータが変化したかどうかを確認するため前記メモリから出力されたデータと前記第１の保持手段から出力されたデータとを比較した第１の比較結果信号を出力する第１の比較手段と、前記新規信号判定手段からの新規のメイン信号のデータを次の新規のメイン信号のデータを受信するまで保持し続ける第２の保持手段と、この第２の保持手段に保持されたデータが変化したかどうかを確認するため前記新規信号判定手段からの新規のメイン信号のデータと前記第２の保持手段から出力されたデータとを比較した第２の比較結果信号を出力する第２の比較手段と、前記第１の保持手段から出力されたデータおよび前記第２の保持手段から出力されたデータを入力して前記第１の比較結果信号と前記第２の比較結果信号との組み合わせに対応した前記両データのうちのデータを表示データとして出力する表示データ出力手段とを備えたことを特徴とするリモコン装置。
【請求項３】
前記制御対象の機器と一体化したことを特徴とする請求項１または請求項２に記載のリモコン装置。
【請求項４】
前記制御対象の機器とは音声出力装置であることを特徴とする請求項１または請求項２に記載のリモコン装置。
【請求項５】
前記制御対象の機器が曲を再生する音声出力装置であった場合、前記メイン信号のデータの変化周期を削減するために該データから曲再生時間のデータを省いたことを特徴とする請求項２に記載のリモコン装置。
【請求項６】
前記識別信号の代わりにメイン信号のデータの中で常時表示されるデータを使用することを特徴とする請求項２に記載のリモコン装置。
【請求項７】
前記識別信号の代わりにメイン信号を受信したことを判定するメイン信号受信判定手段を設けたことを特徴とする請求項２に記載のリモコン装置。
【請求項８】
前記メイン信号のデータによるメイン情報を前記表示部に表示させる必要がない場合、前記機器からの信号を受信する受信手段を受信動作オフ手段により動作させないようにすることを特徴とする請求項２に記載のリモコン装置。
【請求項９】
前記第１の保持手段と前記第２の保持手段は、それぞれシフトレジスタで構成したことを特徴とする請求項１または請求項２に記載のリモコン装置。
【発明の詳細な説明】
【技術分野】
【０００１】
本発明は、制御対象の機器に関する操作情報を表示し、制御対象の機器を特に無線で制御するリモコン（リモートコントローラ）装置に関する。
【背景技術】
【０００２】
図４は第１の従来のリモコン装置の構成を示すブロック図である。図４において、リモコン装置Ｒ１は、音声信号を再生する本体１からの本体操作状況に対応する操作状況データ（送信データ）を格納するメモリ２と、このメモリ２から操作状況データを読み出して表示可能なデータ形式の表示データに変換する表示駆動回路３と、この表示駆動回路３からの表示データを入力して本体１の操作状況の内容を示す情報などを表示する表示部４とを備えている。
【０００３】
図５は図４に示す第１の従来のリモコン装置の動作を説明するためのデータのタイミングチャートである。このタイミングチャートを参照して、この従来のリモコン装置の動作を説明する。
【０００４】
先ず、本体１からリモコンデータ送信クロック信号Ｓ１（図５（１））の周期毎に表示する表示データが変化しなくてもリモコン装置Ｒ１のメモリ２へ格納されるデータＳ２（図５（２））が送信される。そして、メモリ２から読み出されたデータは、表示駆動回路３にて表示データＳ４（図５（４））に変換されて表示部４へと送られて、この表示データＳ４により本体１の操作状況を示す情報が表示部４に表示される。
【０００５】
その際、静電気などの外部ノイズが発生した場合、メモリ２へ格納されたデータが文字化けを起こすため、表示駆動回路３へ送信されるデータは文字化けしたデータＳ３（図５（３））となり、表示駆動回路３を経由して表示部４へ送信されるが、次のデータが送信されるまでの間、リモコンデータ送信クロックＳ１の１周期分だけ表示部４に表示データＳ４（図５（４））による情報が表示されることになり、誤表示が生じる。なお、データＳ３の文字化けした箇所は図５（３）のＤで示している。
【０００６】
図６は第２の従来のリモコン装置の構成を示すブロック図である。図６において、リモコン装置Ｒ２は、音声信号を再生する本体５からの本体操作状況に対応する操作状況データ（送信データ）を入力してメイン信号のデータ（表示メインデータ）とデータ受信識別信号とに分離する信号分離回路６と、本体５から次の送信データが送信されてくるまで前記分離されたデータ受信識別信号に従って前記表示メインデータを保持する表示データ保持回路７と、この表示データ保持回路７からの表示メインデータを格納するメモリ８と、このメモリ８から表示メインデータを読み出して表示可能なデータ形式の表示データに変換する表示駆動回路９と、この表示駆動回路９からの表示データを入力して本体５の操作状況の内容を示す情報などを表示する表示部１０とを備えている。
【０００７】
図７は図６に示す第２の従来のリモコン装置の動作を説明するためのデータのタイミングチャートである。このタイミングチャートを参照して、この従来のリモコン装置の動作を説明する。
【０００８】
先ず、リモコンデータ送信クロックＳ１（図７（１））を元として本体５からは表示データが変化した時のみ本体５から送信データＳ５（図７（２））が送信され、この送信データＳ５は信号分離回路６に与えられ、表示メインデータＳ６（図７（３））とデータ受信識別信号Ｓ７（図７（４））とに分離される。表示データ保持回路７においては、信号分離回路６からのデータ受信識別信号Ｓ７により、本体５からの送信データＳ５は、次の本体５からの送信データＳ５が送信されてくるまでの間、表示メインデータＳ６として保持される。
【０００９】
これにより、メモリ８にはデータＳ８（図７（５））が格納される。この際、静電気などの外部ノイズが発生し、メモリ８に格納されたデータＳ８が文字化けを起こした場合、表示駆動回路９に与えられるデータは文字化けしたデータＳ９（図７（６））となり、表示駆動回路９から表示部１０に与えられるデータは表示データＳ１０となるため、次の表示データＳ５が送信されるまで、誤表示が生じる。なお、データＳ９の文字化けした箇所は図７（６）のＤで示している。
【特許文献１】特開２００３−６８０６１号公報
【特許文献２】特開２００３−１３４５７６号公報
【発明の開示】
【発明が解決しようとする課題】
【００１０】
ところで、上述した第１の従来のリモコン装置Ｒ１では、表示部４に供給される表示データＳ４が変化しなくても、本体１からメモリ２へ格納されるデータＳ２が送信されるため、リモコン装置Ｒ１においては、データＳ２に対する処理（メモリ２に対するデータＳ２の書き換え動作）が常時行われ、これにより、リモコン装置Ｒ１の消費電力が大きくなる。
【００１１】
また、上述した第２の従来のリモコン装置Ｒ２では、表示データＳ１０が変化する時のみ本体５から送信データＳ５が送信されるため、メモリ８に対するデータＳ８の書き換え動作の周期が長くなって、動作時間が短くなり、リモコン装置Ｒ２の消費電力は小さくなるが、誤表示している時間（表示データＳ１０のＤで示す部分）が長くなる。
【００１２】
ところで、このような表示部を有するリモコン装置と本体との間の通信を無線で行うようにした場合（ワイヤレス化した場合）、リモコン装置は常にデータを受信する必要があるため、表示部の消費電力が小さくする必要があると共に誤表示をさせてはならない。そこで、表示部の消費電力を削減するためには、表示部へ送信するデータ量を減らせば良いが、単に減らしただけでは、静電気などの外部ノイズが発生した際の表示部の誤表示時間が、更に長くなるという課題が生じる。即ち、表示部が誤表示した場合、表示部への送信データ量が少なければ、データの更新が遅れるため、誤表示時間が長くなることになる。
【００１３】
なお、特許文献１の従来技術では、送信部から受信部へ送るコマンドの緊急度に対応するように複数段階設けられた重要度に応じて送信間隔を決定しているが、リモコン装置の表示部の消費電力の削減や、静電気などの外部ノイズが発生した際の表示部の誤表示時間の短縮を図るようなことについては開示されていない。また、特許文献２の従来技術は、例えば給湯器とケーブルを介して接続されたリモコン装置に関するものであり、無線で制御対象を制御するリモコン装置ではなく、また、リモコン装置の表示部の消費電力の削減や、静電気などの外部ノイズが発生した際の表示部の誤表示時間の短縮を図るようなことについては開示されていない。
【００１４】
本発明は、上記のような課題を解決するためになされたもので、消費電力を削減し、かつ誤表示させないことが可能なリモコン装置を提供することを目的とする。
【課題を解決するための手段】
【００１５】
上記課題を解決するために、本発明は、制御対象の機器に対して操作信号を送信して前記機器を操作し、前記機器の操作状況に対応する操作状況信号を前記機器から受信して表示部に操作状況の情報を表示するリモコン装置において、前記機器からの操作状況信号に含まれる新規のデータを格納すると共に次の新規のデータを受信するまで前記新規のデータを格納し続けるメモリと、このメモリから出力されたデータを保持する第１の保持手段と、前記メモリに格納されたデータが変化したかどうかを確認するため前記メモリから出力されたデータと前記第１の保持手段から出力されたデータとを比較した第１の比較結果信号を出力する第１の比較手段と、前記機器からの操作状況信号に含まれる新規のデータを次の新規のデータを受信するまで保持し続ける第２の保持手段と、この第２の保持手段に保持されたデータが変化したかどうかを確認するため前記機器からの新規のデータと前記第２の保持手段から出力されたデータとを比較した第２の比較結果信号を出力する第２の比較手段と、前記第１の保持手段から出力されたデータおよび前記第２の保持手段から出力されたデータを入力して前記第１の比較結果信号と前記第２の比較結果信号との組み合わせに対応した前記両データのうちのデータを表示データとして出力する表示データ出力手段とを備えたことを特徴とするリモコン装置を提供する。
【００１６】
この構成においては、機器からの操作状況信号に含まれる新規のデータがメモリに格納され、この新規のデータは、次の新規のデータが受信されるまで、メモリに格納されたままとなる。この際、静電気などの外部ノイズが発生すると、前記メモリに格納されたデータが文字化けを起こす場合があり、文字化けを起こしたと仮定すると、前記メモリから出力されるデータは文字化けしたデータとなり、また、前記メモリからのデータは第１の保持手段に保持され、第１の保持手段から出力されるデータも文字化けしたデータとなる。そして、第１の比較手段において、前記メモリから出力されたデータと前記第１の保持手段から出力されたデータとが比較されることによって、前記メモリに格納されたデータが変化したかどうかを確認するための第１の比較結果信号が出力される。
【００１７】
また、第２の保持手段では、前記機器からの操作状況信号に含まれる新規のデータが次の新規のデータを受信するまで保持し続けられ、第２の比較手段においては、前記機器からの新規のデータと前記第２の保持手段から出力されたデータとが比較されることによって前記第２の保持手段に保持されたデータが変化したかどうかを確認するための第２の比較結果信号が出力される。
【００１８】
したがって、表示データ出力手段は、前記第１の保持手段から出力されたデータおよび前記第２の保持手段から出力されたデータを入力して、前記第１の比較手段からの第１の比較結果信号と前記第２の比較手段からの第２の比較結果信号との組み合わせに対応した前記両データのうちのデータを表示データとして出力する。したがって、その表示データは文字化けのないデータとなり、表示部には正しい再生情報（機器の操作状況の情報）が表示されることになる。
【００１９】
この構成によれば、表示データが変化したときのみ、表示部に表示データが供給されるので、表示部は動作時間が少なくなり、また、リモコン装置の各構成要素の動作も少なくて済み、これにより、リモコン装置の消費電力を削減でき、また、表示部に表示するデータが変化しない場合においても、静電気などの外部ノイズが発生しても、表示部には文字化けのない正しい再生情報（機器の操作状況の情報）を直ぐに表示することができる。
【００２０】
また、本発明は、制御対象の機器に対して操作信号を無線で送信して前記機器を操作し、前記機器の操作状況に対応する操作状況信号を前記機器から受信して表示部に操作状況の情報を表示するリモコン装置において、前記操作状況信号はメイン信号と識別信号とからなり、前記識別信号を検出することにより新規の操作状況信号が前記機器から送信されたことを判定して新規のメイン信号のデータを出力する新規信号判定手段と、この新規信号判定手段からの新規のメイン信号のデータを格納すると共に次の新規のメイン信号のデータを受信するまで前記メイン信号のデータを格納し続けるメモリと、このメモリから出力されたデータを保持する第１の保持手段と、前記メモリに格納されたデータが変化したかどうかを確認するため前記メモリから出力されたデータと前記第１の保持手段から出力されたデータとを比較した第１の比較結果信号を出力する第１の比較手段と、前記新規信号判定手段からの新規のメイン信号のデータを次の新規のメイン信号のデータを受信するまで保持し続ける第２の保持手段と、この第２の保持手段に保持されたデータが変化したかどうかを確認するため前記新規信号判定手段からの新規のメイン信号のデータと前記第２の保持手段から出力されたデータとを比較した第２の比較結果信号を出力する第２の比較手段と、前記第１の保持手段から出力されたデータおよび前記第２の保持手段から出力されたデータを入力して前記第１の比較結果信号と前記第２の比較結果信号との組み合わせに対応した前記両データのうちのデータを表示データとして出力する表示データ出力手段とを備えたことを特徴とするリモコン装置を提供する。
【００２１】
この構成においては、前記操作状況信号はメイン信号と識別信号とからなり、新規信号判定手段では、前記識別信号を検出すると、新規の操作状況信号が前記機器から送信されたことを判定し、新規のメイン信号のデータを出力する。そして、この新規のメイン信号のデータがメモリに格納され、この新規のメイン信号のデータは、次の新規のメイン信号のデータが受信されるまで、メモリに格納されたままとなる。この際、静電気などの外部ノイズが発生すると、前記メモリに格納されたメイン信号のデータが文字化けを起こす場合があり、文字化けを起こしたと仮定すると、前記メモリから出力されるメイン信号のデータは文字化けしたデータとなり、また、前記メモリからのデータは第１の保持手段に保持され、第１の保持手段から出力されるデータも文字化けしたデータとなる。そして、第１の比較手段においては、前記メモリから出力されたデータと前記第１の保持手段から出力されたデータとが比較されることによって、前記メモリに格納されたデータが変化したかどうかを確認するための第１の比較結果信号が出力される。
【００２２】
また、第２の保持手段では、前記機器からの操作状況信号に含まれる新規のデータが次の新規のデータを受信するまで保持し続けられ、第２の比較手段においては、前記機器からの新規のデータと前記第２の保持手段から出力されたデータとが比較されることによって前記第２の保持手段に保持されたデータが変化したかどうかを確認するための第２の比較結果信号が出力される。
【００２３】
表示データ出力手段は、前記第１の保持手段から出力されたデータおよび前記第２の保持手段から出力されたデータを入力して、前記第１の比較手段からの第１の比較結果信号と前記第２の比較手段からの第２の比較結果信号との組み合わせに対応した前記両データのうちのデータを表示データとして出力する。したがって、その表示データは文字化けのないデータとなり、表示部には正しい再生情報（機器の操作状況の情報）が表示されることになる。
【００２４】
この構成によれば、表示データが変化したときのみ、表示部に表示データが供給されるので、表示部は動作時間が少なくなり、また、リモコン装置の各構成要素の動作も少なくて済み、これにより、リモコン装置の消費電力を削減でき、また、表示部に表示するデータが変化しない場合においても、静電気などの外部ノイズが発生しても、表示部には文字化けのない正しい再生情報（機器の操作状況の情報）を直ぐに表示することができる。
【００２５】
本発明において、制御対象の機器とリモコン装置とを一体化した場合は、持ち運び可能なポータブルタイプのリモコン付き機器を実現できる。また、制御対象の機器が音声出力装置である場合、リモコン付きオーディオ機器を実現できる。また、制御対象の機器が曲を再生する音声出力装置であった場合、メイン信号のデータの変化周期を削減するために該データから曲再生時間のデータを省くと、メイン信号のデータの変化周期が削減され、リモコン装置の表示部および構成要素の動作時間が少なくなり、リモコン装置の消費電力の削減に役立てることができる。
【００２６】
本発明において、識別信号の代わりにメイン信号のデータの中で常時表示されるデータを使用した場合も、新規の操作状況信号が機器から送信されたことを判定することができる。また、識別信号の代わりにメイン信号を受信したことを判定するメイン信号受信判定手段を設けた場合は、新規の操作状況信号が機器から送信されたことをメイン信号により判定することができる。また、メイン信号のデータによるメイン情報を表示部に表示させる必要がない場合、機器からの信号を受信する受信手段を受信動作オフ手段により動作させないようにすることにより、リモコン装置の消費電力の削減に役立てることができる。
【００２７】
本発明において、第１の保持手段と第２の保持手段は、それぞれシフトレジスタで構成したので、第１の比較手段においては、メモリからのデータと第１の保持手段からのシフトしたデータとを比較することによって、メイン信号のデータの変化エッジと文字化けした箇所（メモリに文字化けが生じた場合の文字化け箇所）を検出することが可能になり、この検出を示す第１の比較結果信号を出力でき、第２の比較手段においては、メモリへ入力されるデータと第２の保持手段からのシフトしたデータとを比較することによって、メイン信号のデータの変化エッジを検出することが可能になり、この検出を示す第２の比較結果信号を出力できる。
【発明の効果】
【００２８】
以上のように本発明によれば、表示データが変化したときのみ、表示部に表示データを供給でき、これにより、リモコン装置の表示部および各構成要素の動作が少なくて済み、この結果、リモコン装置の消費電力を削減でき、また、静電気などの外部ノイズが発生しても、表示部には文字化けのない正しい再生情報を表示することができる。制御対象の機器と特に無線で通信を行うリモコン装置である場合は、消費電力が大きくなるが、このようなリモコン装置の消費電力を削減できることは非常に効果がある。
【発明を実施するための最良の形態】
【００２９】
以下、図面を参照して本発明の実施の形態について説明する。図１は本発明の一実施形態に係るリモコン装置の構成を示すブロック図である。
【００３０】
図１において、１１は例えば音声信号を再生する音声出力装置の本体を示し、この本体１１には、本体１１の操作状況に対応する操作状況信号をリモコン装置Ｒ３に送信する送信回路２６が備えられている。リモコン装置Ｒ３は、複数の操作キー（図示せず）と、当該操作キーに対応する操作信号を本体１１に送信する送信回路（図示せず）と、本体１１からの操作状況信号を受信する受信回路２４とを備えている。また、リモコン装置Ｒ３は本体１１からの操作状況信号をデコードするデコード部（後述する）を備えている。
【００３１】
このデコード部は、メイン信号（表示メインデータＳ１２）とデータ受信識別信号Ｓ１３とからなる操作状況信号（送信データＳ１１）のデータ受信識別信号Ｓ１３を検出することにより新規の操作状況信号（送信データＳ１１）が本体１１から送信されたことを判定して新規のメイン信号のデータ（メモリ１４に格納されるデータＳ１４）を出力する新規信号判定手段２２と、この新規信号判定手段２２からの新規のメイン信号のデータ（データＳ１４）を格納すると共に次の新規のメイン信号のデータを受信するまで前記メイン信号のデータ（データＳ１４）を格納し続けるメモリ１４と、このメモリ１４から出力されたデータを保持する第１の保持手段としてのシフトレジスタ１５と、メモリ１４に格納されたデータが変化したかどうかを確認するためメモリ１４から出力されたデータとシフトレジスタ１５から出力されたデータとを比較した第１の比較結果信号Ｓ１８を出力する第１の比較手段としての比較器１７と、新規信号判定手段２２からの新規のメイン信号のデータ（データＳ１４）を次の新規のメイン信号のデータを受信するまで保持し続ける第２の保持手段としてのシフトレジスタ１６と、このシフトレジスタ１６に保持されたデータが変化したかどうかを確認するため新規信号判定手段２２からの新規のメイン信号のデータ（データＳ１４）とシフトレジスタ１６から出力されたデータ（データＳ１７）とを比較した第２の比較結果信号Ｓ１９を出力する第２の比較手段としての比較器１８と備えている。
【００３２】
前記新規信号判定手段２２は、本体１１から送信されてきた操作状況信号（送信データＳ１１）を、受信回路２４を介して受信し、メイン信号（表示メインデータＳ１２）とデータ受信識別信号Ｓ１３とに分離する信号分離回路１２と、この信号分離回路１２からのデータ受信識別信号Ｓ１３を検出して新規の操作状況信号（送信データＳ１１）が本体１１から送信されたことを判定して前記新規の操作状況信号に含まれるメイン信号（表示メインデータＳ１２）を保持し、メイン信号（メモリ１４に格納されるデータＳ１４）を出力する表示データ保持回路１３とを備えている。
【００３３】
また、リモコン装置Ｒ３は、シフトレジスタ１５から出力されたデータＳ１６およびシフトレジスタ１６から出力されたデータＳ１７を入力して、比較器１７からの第１の比較結果信号Ｓ１８と比較器１８からの第２の比較結果信号Ｓ１９との組み合わせに対応した前記両データのうちのデータを表示データＳ２０として出力する表示データ出力手段２３を備えている。表示データ出力手段２３は、シフトレジスタ１５から出力されたデータＳ１６およびシフトレジスタ１６から出力されたデータＳ１７を入力し、前記第１の比較結果信号Ｓ１８と前記第２の比較結果信号Ｓ１９との組み合わせに従って前記両データのうちの出力するデータを選択する表示データ制御部１９と、この表示データ制御部１９から出力されたデータを表示可能なデータ形式の表示データＳ２０に変換して表示部２１に供給する表示駆動回路２０とを備えている。
【００３４】
図２は本実施形態のリモコン装置Ｒ３の動作を説明するためのデータのタイミングチャートである。図２（１）は本体１１からリモコン装置Ｒ３へ操作状況信号を送信する基本タイミングを得るための表示データ送信クロック信号Ｓ１を示し、図２（２）は本体１１からリモコン装置Ｒ３へ送信される送信データＳ１１を示す。図２（３）は信号分離回路１２から表示データ保持回路１３に与えられる表示メインデータＳ１２を示し、図２（４）は信号分離回路１２から表示データ保持回路１３に与えられるデータ受信識別信号Ｓ１３を示す。図２（５）は表示データ保持回路１３からメモリ１４へ格納されるデータＳ１４を示し、図２（６）はメモリ１４で文字化けしてメモリ１４から出力されたデータＳ１５を示す。
【００３５】
図２（７）はメモリ１４からの前記データＳ１５をシフトレジスタ１５でシフトしてシフトレジスタ１５から出力されたデータＳ１６を示し、図２（８）はメモリ１４からの文字化けしたデータＳ１５とシフトレジスタ１５からのデータＳ１６とを比較器１７で比較した第１の比較結果信号Ｓ１８を示す。図２（９）は表示データ保持回路１３からのデータＳ１４（メモリ１４へ格納されるデータＳ１４）をシフトレジスタ１６でシフトしてシフトレジスタ１６から出力されたデータＳ１７を示し、図２（１０）はデータＳ１４とデータＳ１７とを比較器１８で比較した第２の比較結果信号Ｓ１９を示す。図２（１１）は表示駆動回路２０から表示部２１に与えられる表示データＳ２０を示す。
【００３６】
図３は図１中の表示データ制御部１９における制御例を説明するための図である。図３に示すように、比較器１７から出力される第１の比較結果信号Ｓ１８が論理「０」（ローレベル）で、かつ比較器１８から出力される第２の比較結果信号Ｓ１９が論理「０」（ローレベル）であるとき、表示駆動回路２０から出力される表示データＳ２０は、シフトレジスタ１５からのデータＳ１６またはシフトレジスタ１６からのデータＳ１７に対応したデータとなる。比較器１７から出力される第１の比較結果信号Ｓ１８が論理「０」（ローレベル）で、かつ比較器１８から出力される第２の比較結果信号Ｓ１９が論理「１」（ハイレベル）であるとき、表示駆動回路２０から出力される表示データＳ２０は、シフトレジスタ１５からのデータＳ１６に対応したデータとなる。
【００３７】
比較器１７から出力される第１の比較結果信号Ｓ１８が論理「１」（ハイレベル）で、かつ比較器１８から出力される第２の比較結果信号Ｓ１９が論理「０」（ローレベル）であるとき、表示駆動回路２０から出力される表示データＳ２０は、シフトレジスタ１６からのデータＳ１７に対応したデータとなる。比較器１７から出力される第１の比較結果信号Ｓ１８が論理「１」（ハイレベル）で、かつ比較器１８から出力される第２の比較結果信号Ｓ１９が論理「１」（ハイレベル）であるとき、表示駆動回路２０から出力される表示データＳ２０は、シフトレジスタ１５からのデータＳ１６またはシフトレジスタ１６からのデータＳ１７に対応したデータとなる。
【００３８】
次に、図１〜図３を参照して本実施形態のリモコン装置Ｒ３の動作について説明する。先ず、本体１１から表示データ送信クロック信号Ｓ１を元として本体１１からは表示データが変化したときのみ、本体１１からの操作状況を示す送信データＳ１１がリモコン装置Ｒ３へ送信されて受信回路２４で受信され、この送信データＳ１１は信号分離回路１２により表示メインデータＳ１２とデータ受信識別信号Ｓ１３とに分離される。表示データ保持回路１３は、データ受信識別信号Ｓ１３を検出することにより、本体１１から送信データＳ１１が送信されたことを判定し、これにより、表示データ保持回路１３においては、本体１１からの送信データＳ１１は次の本体１１からの送信データＳ１１が送信されてくるまで、表示メインデータＳ１２が保持される。
【００３９】
この表示メインデータＳ１２が表示データ保持回路１３に保持されることにより、データＳ１４が表示データ保持回路１３から出力される。表示データ保持回路１３から出力されたデータＳ１４は、メモリ１４に格納されると共に、シフトレジスタ１６および比較器１８にも入力される。メモリ１４には、新規の表示メインデータが格納され、次の新規の表示メインデータが受信されるまで、新規の表示メインデータが格納されたままとなる。メモリ１４には、例えばデータＳ１４におけるデータＡが格納され、次のデータＢが受信されるまで、データＡが格納されたままとなる。
【００４０】
また、シフトレジスタ１６に入力されたデータＳ１４は、シフトレジスタ１６において表示データ送信クロック信号Ｓ１の１周期分シフトされ、データＳ１７としてシフトレジスタ１６から出力される。例えば、データＳ１７におけるデータＡは、次の新規のデータＢが受信されるまで保持される。
【００４１】
メモリ１４から出力されたデータは、比較器１７およびシフトレジスタ１５に入力される。ここで、静電気などの外部ノイズが発生した場合、メモリ１４からは、例えば図２（６）に示すような文字化けしたデータＳ１５が出力されたとすると、このデータＳ１５はシフトレジスタ１５において表示データ送信クロック信号Ｓ１の１周期分シフトされてデータＳ１６となり、このデータＳ１６がシフトレジスタ１５から出力される。
【００４２】
メモリ１４からの文字化けしたデータＳ１５と、シフトレジスタ１５からのデータＳ１６とは、比較器１７に入力されて比較され、これにより、第１の比較結果信号Ｓ１８が比較器１７から出力される。この第１の比較結果信号Ｓ１８は、データＳ１５とデータ１６とが、同じ内容を示すときはローレベルとなり、異なる内容を示すときはハイレベルとなり、表示メインデータＳ１２の変化エッジの検出と文字化けした箇所の検出を行った信号となる。
【００４３】
また、表示データ保持回路１３からのデータＳ１４と、シフトレジスタ１６からのデータＳ１７とは、比較器１８に入力されて比較され、これにより、第２の比較結果信号Ｓ１９が比較器１８から出力される。この第２の比較結果信号Ｓ１９は、データＳ１４とデータ１７とが、同じ内容を示すときはローレベルとなり、異なる内容を示すときはハイレベルとなり、表示メインデータＳ１２の変化エッジの検出を行った信号となる。
【００４４】
次に、表示データ制御部１９には、シフトレジスタ１５からのデータＳ１６とシフトレジスタ１６からのデータＳ１７とが入力され、比較器１７からの第１の比較結果信号Ｓ１８と比較器１８からの第２の比較結果信号Ｓ１９との組み合わせに対応した両データＳ１６，Ｓ１７のうちのデータが表示駆動回路２０により表示データに変換され、表示駆動回路２０から表示データＳ２０として出力される。
【００４５】
例えば、図３で説明したように、比較器１７から出力される第１の比較結果信号Ｓ１８が論理「０」（ローレベル）で、かつ比較器１８から出力される第２の比較結果信号Ｓ１９が論理「０」（ローレベル）であるとき、表示駆動回路２０から出力される表示データＳ２０は、シフトレジスタ１５からのデータＳ１６またはシフトレジスタ１６からのデータＳ１７に対応したデータとなる。比較器１７から出力される第１の比較結果信号Ｓ１８が論理「０」（ローレベル）で、かつ比較器１８から出力される第２の比較結果信号Ｓ１９が論理「１」（ハイレベル）であるとき、表示駆動回路２０から出力される表示データＳ２０は、シフトレジスタ１５からのデータＳ１６に対応したデータとなる。
【００４６】
また、比較器１７から出力される第１の比較結果信号Ｓ１８が論理「１」（ハイレベル）で、かつ比較器１８から出力される第２の比較結果信号Ｓ１９が論理「０」（ローレベル）であるとき、表示駆動回路２０から出力される表示データＳ２０は、シフトレジスタ１６からのデータＳ１７に対応したデータとなる。比較器１７から出力される第１の比較結果信号Ｓ１８が論理「１」（ハイレベル）で、かつ比較器１８から出力される第２の比較結果信号Ｓ１９が論理「１」（ハイレベル）であるとき、表示駆動回路２０から出力される表示データＳ２０は、シフトレジスタ１５からのデータＳ１６またはシフトレジスタ１６からのデータＳ１７に対応したデータとなる。
【００４７】
このように、第１の比較結果信号Ｓ１８と第２の比較結果信号Ｓ１９との組み合わせにより、表示データＳ２０が、データＳ１６に対応したデータまたはデータＳ１７に対応したデータに切り換えられ、表示部２１に供給され、表示データＳ２０による再生情報（本体１１の操作状況の情報）が表示部２１に表示される。
【００４８】
以上のように上記実施形態によれば、表示データが変化したときのみ、表示部２１に表示データを供給でき、これにより、リモコン装置Ｒ３の表示部２１および各構成要素の動作が少なくて済み、この結果、消費電力を削減でき、また、静電気などの外部ノイズが発生しても、表示部２１には文字化けのない正しい再生情報を表示することができる。上記実施形態では、制御対象の機器である本体１１との通信を無線で行うリモコン装置Ｒ３であるので、消費電力が特に大きくなるが、このようなリモコン装置Ｒ３の消費電力を削減できることは非常に良い効果が得られる。なお、本体と有線で通信を行うリモコン装置であっても、同様な効果が得られる。
【００４９】
上記実施形態においては本体１１は音声出力装置であるので、メイン信号のデータの変化周期を削減するために該データから曲再生時間のデータを省くと、メイン信号のデータの変化周期が削減され、リモコン装置Ｒ３内の構成要素の動作時間が少なくなり、消費電力の削減に役立てることができる。
【００５０】
また、上記実施形態においては、識別信号を検出することにより、新規の操作状況信号が本体から送信されたことを判定したが、識別信号の代わりにメイン信号のデータの中で常時表示されるデータを使用した場合も、新規の操作状況信号が本体１１から送信されたことを判定することができる。
【００５１】
また、上記実施形態において、識別信号の代わりにメイン信号を受信したことを判定するメイン信号受信判定手段を新規信号判定手段２２に設けた場合は、新規の操作状況信号が本体１１から送信されたことをメイン信号により判定することができる。
【００５２】
また、メインデータによるメイン情報を表示部２１に表示させる必要がない場合、本体１１からの信号を受信する受信回路２４を受信動作オフ回路２５により動作させないようにすることにより、消費電力の削減に役立てることができる。受信動作オフ回路２５は、例えば、表示部２１をオフさせる表示スイッチがリモコン装置Ｒ３に備えられていれば、その表示スイッチのオフを検出することにより、受信回路２４の動作を停止させることができる。
【図面の簡単な説明】
【００５３】
【図１】本発明の一実施形態に係るリモコン装置の構成を示すブロック図である。
【図２】前記実施形態のリモコン装置の動作を説明するためのデータのタイミングチャートである。
【図３】図１中の表示データ制御部における制御例を説明するための図である。
【図４】第１の従来のリモコン装置の構成を示すブロック図である。
【図５】図４に示す第１の従来のリモコン装置の動作を説明するためのデータのタイミングチャートである。
【図６】第２の従来のリモコン装置の構成を示すブロック図である。
【図７】図６に示す第２の従来のリモコン装置の動作を説明するためのデータのタイミングチャートである。
【符号の説明】
【００５４】
Ｒ３    リモコン装置
１１    本体（制御対象の機器）
１４    メモリ
１５    シフトレジスタ（第１の保持手段）
１６    シフトレジスタ（第２の保持手段）
１７    比較器（第１の比較手段）
１８    比較器（第２の比較手段）
２１    表示部
２２    新規信号判定手段
２３    表示データ出力手段
２４    受信回路（受信手段）
２５    受信動作オフ回路（受信動作オフ手段）
【図１】
2005286544.tif 000003
【図２】
2005286544.tif 000004
【図３】
2005286544.tif 000005
【図４】
2005286544.tif 000006
【図５】
2005286544.tif 000007
【図６】
2005286544.tif 000008
【図７】
2005286544.tif 000009